(57)【要約】【課題】極めて簡単な構造として、確実にしかも能率よくのり面に固定して、施工作業を安全で能率よくする。【解決手段】のり面緑化用の土止具は、一対の木製板材１とアンカー２とを備える。一方の木製板材１は幅広端縁３に連結凸部４を、他方の木製板材１は幅広端縁３に連結凸部４を案内して連結する連結切欠部５を有する。一方の木製板材１の連結凸部４を、他方の木製板材１の連結切欠部５に入れる状態で、連結凸部４と連結切欠部５とを連結している連結コーナー６から外側に突出する突出部７を、両方の木製板材１の幅広端縁３から突出して設けている。土止具は、連結凸部４を連結切欠部５に入れて、突出部７を連結コーナー６からＶ字状に突出させてＶ字突出部８とし、このＶ字突出部８の内面に、のり面１５に挿入して固定されるアンカー２を配設して、一対の木製板材１のＶ字突出部８をのり面１５に固定している。【選択図】  図７
2004238948.tif 000002
【特許請求の範囲】
【請求項１】
一方の端から他方の端に向かって幅が広くなる形状に切断している一対の木製板材（１）と、一対の木製板材（１）をのり面（１５）に固定するアンカー（２）とを備え、
一方の木製板材（１）は幅広端縁（３）に連結凸部（４）を、他方の木製板材（１）は幅広端縁（３）に連結凸部（４）を案内して連結する連結切欠部（５）を有し、
さらに、一方の木製板材（１）の連結凸部（４）を、他方の木製板材（１）の連結切欠部（５）に入れる状態で、連結凸部（４）と連結切欠部（５）とを連結している連結コーナー（６）から外側に突出する突出部（７）を、両方の木製板材（１）の幅広端縁（３）から突出して設けており、
一方の木製板材（１）の連結凸部（４）を、他方の木製板材（１）の連結切欠部（５）に入れて、木製板材（１）の突出部（７）を連結コーナー（６）からＶ字状に突出させてＶ字突出部（８）とし、このＶ字突出部（８）の内面に、のり面（１５）に挿入して固定されるアンカー（２）を配設して、アンカー（２）でもって互いに連結している一対の木製板材（１）のＶ字突出部（８）をのり面（１５）に固定するようにしてなるのり面緑化用の土止具。
【請求項２】
木製板材（１）の突出部（７）に、アンカー（２）を挿通するリング（９）を固定しており、Ｖ字突出部（８）の内面に固定するアンカー（２）をリング（９）に挿通して、木製板材（１）をのり面（１５）に固定するようにしてなる請求項１に記載されるのり面緑化用の土止具。
【請求項３】
両方の木製板材（１）の突出部（７）にリング（９）を固定しており、アンカー（２）を両方の木製板材（１）のリング（９）に挿通して、木製板材（１）をのり面（１５）に固定するようにしてなる請求項２に記載されるのり面緑化用の土止具。
【請求項４】
アンカー（２）が上端にＵ曲部（１２）を有し、Ｕ曲部（１２）を木製板材（１）の上端縁に連結してのり面（１５）に固定するようにしてなる請求項１に記載されるのり面緑化用の土止具。
【請求項５】
連結切欠部（５）が、連結凸部（４）を案内できる溝形である請求項１に記載されるのり面緑化用の土止具。
【請求項６】
連結切欠部（５）が、連結凸部（４）を挿入する貫通孔である請求項１に記載されるのり面緑化用の土止具。
【請求項７】
一対の板材からなる土止具をアンカー（２）でのり面（１５）に固定し、土止具の上方に植物を植え付けしてのり面（１５）に植物を植生させるのり面の緑化方法において、
土止具の板材として、板状の木材を一方の端から他方の端に向かって幅が広くなる形状に切断している木製板材（１）を使用し、
一対の木製板材（１）は、一方の幅広端縁（３）に連結凸部（４）を、他方の幅広端縁（３）には連結凸部（４）を案内して連結する連結切欠部（５）を設けると共に、
一方の木製板材（１）の連結凸部（４）を、他方の木製板材（１）の連結切欠部（５）に入れる状態で、連結凸部（４）と連結切欠部（５）とを連結している連結コーナー（６）から外側に突出する突出部（７）を、両方の木製板材（１）の幅広端縁（３）から突出して設け、
一方の木製板材（１）の連結凸部（４）を、他方の木製板材（１）の連結切欠部（５）に入れて、木製板材（１）の突出部（７）を連結コーナー（６）からＶ字状に突出させてＶ字突出部（８）を形成し、このＶ字突出部（８）の下方にアンカー（２）を配置して、アンカー（２）をのり面（１５）に挿入固定し、アンカー（２）でもって互いに連結している一対の木製板材（１）をのり面（１５）に固定し、のり面（１５）に固定された木製板材（１）の上方に植物を植え付けするのり面の緑化方法。
【請求項８】
木製板材（１）の突出部（７）に、アンカー（２）を挿通するリング（９）を固定し、Ｖ字突出部（８）の内面に固定するアンカー（２）をリング（９）に挿通してのり面（１５）に固定する請求項７に記載されるのり面の緑化方法。
【請求項９】
両方の木製板材（１）の突出部（７）にリング（９）を固定し、アンカー（２）を両方の木製板材（１）のリング（９）に挿通して、木製板材（１）をのり面（１５）に固定する請求項８に記載されるのり面の緑化方法。
【請求項１０】
アンカー（２）の上端にＵ曲部（１２）を設け、Ｕ曲部（１２）を木製板材（１）の上端縁に連結して木製板材（１）をのり面（１５）に固定する請求項７に記載されるのり面の緑化方法。
【請求項１１】
木製板材（１）の連結切欠部（５）を、連結凸部（４）を案内できる溝形とする請求項７に記載されるのり面の緑化方法。
【請求項１２】
木製板材（１）の連結切欠部（５）を、連結凸部（４）を挿入する貫通孔とする請求項７に記載されるのり面の緑化方法。
【発明の詳細な説明】
【０００１】
【発明の属する技術分野】
本発明は、急勾配で表土の少ない岩盤質や硬土質ののり面に植物を植え付けするのり面緑化用の土止具と、この土止具を使用するのり面の緑化方法に関する。
【０００２】
【従来の技術】
切り開かれた岩盤が表出したのり面は、経時的な風化を防止すると共に、美観を向上させる目的で表面に植物を植生させている。ところが、勾配が急で、岩盤質ののり面は、表土が少ないので、植物を繁殖させるのが極めて難しい。この種ののり面に植物を植生する工法として、のり面に土止具を固定し、この土止具の上に培養土を入れて植物を植え付けする緑化工法が特許文献１に記載される。
【０００３】
【特許文献１】
特開平１０−２８０４１８号公報
【０００４】
この公報に記載される緑化工法は、図１ないし図３に示すように、２枚のパネル２０をＶ字状に連結してのり面１５に固定する。パネル２０は互いに連結するために、一方のパネル２０の幅広端縁２１には係合突起２２を設け、他方のパネル２０の幅広端縁２１には係合孔２３を設けている。係合突起２２はフックの形状として、これを係合孔２３に入れ、互いに抜けないように係止する状態で連結される。さらに、両方のパネル２０は、のり面１５に固定するために下端縁の近傍にアンカー孔２４を設けている。このアンカー孔２４にＬ字アンカー２５を連結してのり面１５に固定し、さらに三角形のパネル２０の上端部には、Ｕ曲したアンカー２６を連結してのり面１５に固定している。さらに、パネル２０の連結コーナー部２７をのり面に連結するために、図４に示す連結具２８を使用している。この連結具２８は、直交する姿勢で連結された一対のパネル２０を連結する４個の突起２９を設けている。連結具２８は、アンカーピン等でのり面１５に固定される。
【０００５】
【発明が解決しようとする課題】
以上の構造の土止具は、以下の工程でのり面に固定されてのり面を緑化する。（１）  のり面１５に連結具２８をアンカーピンで固定する。
（２）  一方のパネル２０の係合突起２２を他方のパネル２０の係合孔２３に抜けないように入れて、２枚のパネル２０を直角に連結する。
（３）  直角に連結している２枚のパネル２０を連結具２８の突起２９の間に案内する。
（４）  Ｌ字アンカー２５をのり面１５に打ち込み、アンカー上端のＬ字状折曲部をパネル２０のアンカー孔２４に入れる。さらに、パネル２０の上端部を跨ぐようにしてＵ形アンカー２６をのり面１５に打ち込み、アンカー２６でパネル２０をのり面１５に固定する。
（５）  その後、パネル２０の上に培養土１６を入れて木等の植物１７を植え付けする。
【０００６】
以上の構造の土止具は、パネルとのり面との相対位置がずれると、２枚のパネルが外れて充填している培養土が漏れて植物を正常に生育できなくなることがある。それは、係合突起を係合孔に入れて外れないように連結しているからである。２枚のパネルの連結が外れると、内側上方に充填している培養土が流失して、ここに植え付けしている植物を生育できなくなる。パネルの係合突起は、２枚のパネルが相対的に上下に移動しないかぎり抜けないように連結される。しかしながら、係合突起が係合孔に対して上方に移動すると、係合孔に引っかけられなくなって、係合孔から抜けて外れる状態となる。自然ののり面の上に固定される２枚のパネルは、種々の外的な条件で上下に相対的に移動され、全く移動しないように固定するのは極めて難しい。風雪、土砂の流下、雨水の流下、のり面自体の移動等でパネルが移動するからである。
【０００７】
さらに、以上の土止具は、パネルの下部に設けたアンカー孔にＬ形アンカーの上端を引っかけてのり面に固定するので、強固で耐久性のある状態でのり面に固定できない。それは、パネルのアンカー孔の下方が破損すると、Ｌ形アンカーがパネルをのり面に固定でなくなるからである。とくに、パネルに腐食しやすい紙等を使用すると、腐食してのり面にしっかりと固定でなくなる。また、係合突起の係止部が腐食しても、２枚のパネルを連結できなくなる。とくに、係合突起はわずかに突出している部分を係止して抜けないように連結しているので、わずかな突出部分が腐食すると、外れない状態では連結できなくなってしまう。
【０００８】
さらにまた、以上の土止具は、パネルの連結をより確実にするために連結具を使用しているので、２枚のパネルを連結する角度が直角に近い範囲に制限される。それは、直角からずれると２枚のパネルを連結具の突起の間に案内できなくなるからである。土止具は、２枚のパネルの連結角度を変更して、勾配が異なるのり面に固定できる。たとえば、勾配が急なのり面には、２枚のパネルの角度を大きくし、反対に勾配の緩いのり面では、２枚のパネルの角度を小さくして、三角形のパネルの上縁を水平にできる。以上の土止具は、パネルの連結角度が制限されるので、固定するのり面の勾配も制限される。このため、勾配が異なるのり面に固定するために、専用の三角形にパネルを製作する必要がある。
【０００９】
さらに、以上の土止具は、Ｌ形アンカーをパネルのアンカー孔に入れてのり面に固定するが、Ｌ形アンカーをのり面に固定するのに極めて手間がかかる。それは、パネルをのり面を配置してＬ形アンカーをのり面に打ち込むと、パネルが邪魔になって簡単に打ち込みできず、またＬ形アンカーをのり面に打ち込んだ後パネルをのり面にセットすると、Ｌ形アンカーの打ち込み位置がずれて、パネルを確実にのり面に固定できないからである。
【００１０】
本発明は、以上のような欠点を解決することを目的に開発されたものである。本発明の重要な目的は、極めて簡単な構造でのり面に確実にしっかりと固定できるのり面緑化用の土止具とのり面の緑化方法を提供することにある。
また、本発明の他の大切な目的は、簡単かつ容易に、しかも能率よくのり面に固定して、施工作業を安全で能率よくできるのり面緑化用の土止具とのり面の緑化方法を提供することにある。
さらにまた、本発明の他の大切な目的は、製造コストと施工コストの両方を低減して、のり面を確実に緑化できるのり面緑化用の土止具とのり面の緑化方法を提供することにある。
【００１１】
【課題を解決するための手段】
本発明ののり面緑化用の土止具は、一方の端から他方の端に向かって幅が広くなる形状に切断している一対の木製板材１と、一対の木製板材１をのり面１５に固定するアンカー２とを備える。一方の木製板材１は幅広端縁３に連結凸部４を、他方の木製板材１は幅広端縁３に連結凸部４を案内して連結する連結切欠部５を有する。さらに、一方の木製板材１の連結凸部４を、他方の木製板材１の連結切欠部５に入れる状態で、連結凸部４と連結切欠部５とを連結している連結コーナー６から外側に突出する突出部７を、両方の木製板材１の幅広端縁３から突出して設けている。一方の木製板材１の連結凸部４を、他方の木製板材１の連結切欠部５に入れて、木製板材１の突出部７を連結コーナー６からＶ字状に突出させてＶ字突出部８とし、このＶ字突出部８の内面に、のり面１５に挿入して固定されるアンカー２を配設して、アンカー２でもって互いに連結している一対の木製板材１のＶ字突出部８をのり面１５に固定している。
【００１２】
本発明の請求項７ののり面の緑化方法は、一対の板材からなる土止具をアンカー２でのり面１５に固定し、土止具の上方に植物１７を植え付けしてのり面１５に植物１７を植生させる。土止具の板材として、板状の木材を一方の端から他方の端に向かって幅が広くなる形状に切断している木製板材１を使用する。一対の木製板材１は、一方の幅広端縁３に連結凸部４を、他方の幅広端縁３には連結凸部４を案内して連結する連結切欠部５を設けている。一方の木製板材１の連結凸部４を、他方の木製板材１の連結切欠部５に入れる状態で、連結凸部４と連結切欠部５とを連結している連結コーナー６から外側に突出する突出部７を、両方の木製板材１の幅広端縁３から突出して設けている。この緑化方法は、一方の木製板材１の連結凸部４を、他方の木製板材１の連結切欠部５に入れて、木製板材１の突出部７を連結コーナー６からＶ字状に突出させてＶ字突出部８を形成する。
さらに、このＶ字突出部８の下方にアンカー２を配置して、アンカー２をのり面１５に挿入固定し、アンカー２でもって互いに連結している一対の木製板材１をのり面１５に固定する。のり面１５に固定された木製板材１の上方に植物１７を植え付けする。
【００１３】
本明細書において、土止具の上方とは、のり面に固定した木製板材の固定位置よりも上側の斜面を意味している。したがって、土止具の上方に植物を植え付けするとは、のり面に固定した木製板材よりも上側の斜面であって、木製板材とのり面とで区画された領域に植物を植え付けすることを意味している。
【００１４】
土止具は、木製板材１の突出部７に、アンカー２を挿通するリング９を固定し、Ｖ字突出部８の内面に固定するアンカー２をリング９に挿通して、木製板材１をのり面１５に固定することができる。さらに、土止具は、両方の木製板材１の突出部７にリング９を固定して、アンカー２を両方の木製板材１のリング９に挿通して、木製板材１をのり面１５に固定することができる。
【００１５】
アンカー２は、上端にＵ曲部１２を設けて、このＵ曲部１２を木製板材１の上端縁に連結して木製板材１をのり面１５に固定することができる。連結切欠部５は、連結凸部４を案内できる溝形、あるいは連結凸部４を挿入する貫通孔とすることができる。
【００１６】
【発明の実施の形態】
以下、本発明の実施例を図面に基づいて説明する。ただし、以下に示す実施例は、本発明の技術思想を具体化するためののり面緑化用の土止具とのり面の緑化方法を例示するものであって、本発明は土止具と緑化方法を下記のものに特定しない。
【００１７】
さらに、この明細書は、特許請求の範囲を理解し易いように、実施例に示される部材に対応する番号を、「特許請求の範囲の欄」、および「課題を解決するための手段の欄」に示される部材に付記している。ただ、特許請求の範囲に示される部材を、実施例の部材に特定するものでは決してない。
【００１８】
図５ないし図９に示す土止具は、一対の木製板材１と、これをのり面１５に固定するアンカー２とを備える。図示しないが、のり面には複数の土止具が固定され、各々の土止具に植物が植え付けられる。のり面に固定される複数の土止具は、上下左右に離されて、所定の間隔で固定される。のり面に固定された土止具は、図５の断面図に示すように、その上方に培養土１６を入れ、培養土１６に木や草等の植物１７を植え付けする。木は、ポットから出して、あるいは腐食するポット１８から出すことなく、土止具の上方に植え付けされる。土止具には、木のみでなく、草を植え付けすることもできる。木や草は、土止具の上方に充填される培養土１６に植え付けされる。土止具の上方に充填された培養土１６は、土止具の木製板材１でずれ落ちるのが阻止され、木製板材１の上方に蓄えられる。培養土１６は保水性を有し、雨水を吸水して植物１７を生育させる。土止具は、のり面１５を掘削し、あるいはのり面１５の一部を掘削してのり面１５に固定される。
【００１９】
木製板材１は、木材を板状に製材したものを切断して製作される。木製板材１の材料には、間伐材を板状に製材したもの、建築廃材、あるいは円柱状の原木を角柱に製材する工程で発生する背板等を板状に製材したものが使用される。これ等の板材を製材して木製板材１に使用すると、廃棄する板材を有効に再利用できる特長がある。とくに、間伐材は、有効に使用される用途が少なく、これを製材して使用することにより、間伐材を有効に利用できる。
【００２０】
木製板材１は、１枚の板材を切断して製作し、あるいは図１０と図１１に示すように、幅の狭い複数の板材１０を連結して、幅の広い板材として切断して製作することもできる。とくに、本発明の土止具は、複数の板材を充分な強度で連結することなく使用できる。それは、図１２の断面図に示すように、木製板材１の外側に沿ってアンカー２を配設しているからである。アンカー２は、２枚の木製板材１の連結部の外側に固定されて、各々の木製板材１の内側が押圧されて曲がるのを阻止する。したがって、上方に充填している培養土１６が木製板材１の内面を押圧しても、これが曲がるのをアンカー２で阻止できる。このため、幅の狭い板材１０を連結している木製板材１は、接着することなく、図１０と図１１に示す嵌合構造で連結することができる。また、接着して連結しても、接着部分が外れても木製板材１が曲がることはない。図１０は一方の板材１０の連結面に凸条１０Ａを設け、他方の板材１０の連結面に凸条１０Ａを嵌入する縦溝１０Ｂを設け、縦溝１０Ｂに凸条１０Ａを入れて連結している。図１１の木製板材１は、両方の板材１０の連結面に縦溝１０Ｂを設け、この縦溝１０Ｂに連結ロッド１１の両側を嵌入して、連結ロッド１１で連結している。
【００２１】
木製板材１は、傾斜するのり面１５に固定して上面を水平ないしはほぼ水平とするように、一方の端から他方の端に向かって幅が広くなる形状、すなわち三角形に切断している。木製板材１は、上面を水平とするようにのり面１５に固定されるので、のり面１５に固定される状態では下側の端部が幅広端縁３となる。
【００２２】
さらに、一対の木製板材１は、互いに幅広端縁３側を交差して連結するために、一方の木製板材１の幅広端縁３に連結凸部４を、他方の木製板材１の幅広端縁３には連結凸部４を案内して連結する連結切欠部５を設けている。この木製板材１は、一方の木製板材１の連結凸部４を、他方の木製板材１の連結切欠部５に入れて連結される。
【００２３】
図７の土止具は、一方の木製板材１の幅広端縁３の中央部分にひとつの連結凸部４を設け、他方の木製板材１の幅広端縁３の中央に溝形の連結切欠部５を設けている。図８の土止具は、一方の木製板材１の幅広端縁３の片側に連結凸部４を、他方の木製板材１の幅広端縁３の片側に連結切欠部５を設けている。さらに図９の土止具は、一方の木製板材１の幅広端縁３に連結凸部４を設けて、他方の木製板材１の幅広端縁３には、この連結凸部４を挿入する貫通孔である連結切欠部５を設けている。
【００２４】
図７と図８の土止具は、一対の木製板材１を簡単に連結できると共に、２枚の木製板材１を互いに交差させる角度範囲を広くできる。このことは、のり面１５に木製板材１を固定する施工工事において極めて大切なことである。それは、土止具を固定するのり面１５は、岩盤等の滑りやすい部分が危険な作業現場が多いからである。危険な作業現場では、施工作業をできるかぎり簡単にして、しかも能率よく施工できることが大切である。難しい手間のかかる作業が、安全性を低下させるからである。簡単な作業は、楽な姿勢で能率よく施工でき、安全に、しかも迅速に施工できる。さらに、図９の土止具は、一対の木製板材１をしっかりと連結できる特長がある。それは、連結凸部４を貫通孔の連結切欠部５に挿入して連結するからである。
【００２５】
さらに、一対の木製板材１は、互いに交差する状態で連結して、この連結部分をしっかりとのり面１５に固定するために、連結凸部４と連結切欠部５を連結している連結コーナー６から外側に突出する突出部７を設けている。突出部７は、図６に示すように、両方の木製板材１の幅広端縁３から突出する。
【００２６】
互いに交差するように連結された一対の木製板材１は、連結コーナー６のアンカー２でのり面１５に固定される。すなわち、一方の木製板材１の連結凸部４を他方の木製板材１の連結切欠部５に入れて互いに連結する状態で、連結コーナー６から外側にＶ字状にふたつの突出部７が突出してＶ字突出部８ができる。このＶ字突出部８の内側に、アンカー２を配設し、アンカー２をのり面１５に挿入して固定する。アンカー２は、のり面１５に打ち込んで固定される。Ｖ字突出部８の内側のアンカー２は、互いに交差するように連結している一対の木製板材１の連結コーナー６をのり面１５に固定する。
【００２７】
この状態でのり面１５に固定される土止具は、図６の矢印で示す方向に培養土１６の土圧が作用する。土圧は、一対の木製板材１を下方に押圧するが、この押圧力はアンカー２で支持される。さらに一対の木製板材１を押圧する土圧は、互いに連結している木製板材１の連結を強固にする。それは、土圧が一対の木製板材１の連結部を互いに押圧して滑らない状態とし、さらに、滑らない状態に連結している一対の木製板材１をアンカー２に押圧して、アンカー２に対しても滑らないようにするからである。また、アンカー２が、一対の木製板材１のＶ字突出部８の内側に固定されるので、木製板材１に土圧が作用しても、両方の木製板材１とアンカー２との位置がずれることがなく、言いかえるとアンカー２がＶ字突出部８の内側からずれることがなく、アンカー２は両方の木製板材１をしっかりとのり面１５に固定する。
【００２８】
とくに、図７ないし図９に示す木製板材１は、木製板材１の突出部７であって、アンカー２が挿通される部分にリング９を固定して、このリング９にアンカー２を挿通して、木製板材１をのり面１５を固定しているので、木製板材１をより確実にのり面１５に固定できる。さらに、図７と図８に示す土止具は、両方の木製板材１の突出部７にリング９を固定して、アンカー２を両方の木製板材１のリング９に挿通して、木製板材１をのり面１５に固定しているので、アンカー２とリング９とで、両方の木製板材１を確実にのり面１５に固定できる特長がある。
【００２９】
アンカー２は、金属ロッドの先端をＵ曲したもので、Ｕ曲部１２を土止具に引っかけて、のり面１５に固定する。土止具は、３本又は３本以上のアンカー２でのり面１５に固定される。１本のアンカー２は、木製板材１の連結コーナー６をのり面１５に固定し、残り２本のアンカー２は、木製板材１の上端部分をのり面１５に固定する。アンカー２は、木製板材１の外側、すなわちのり面１５の下側に位置するようにのり面１５に打ち込まれて、木製板材１をのり面１５に固定する。アンカー２は、Ｕ曲部１２の先端部分を木製板材１の内側に位置させるようにして、木製板材１の上端縁を引っかけるようにしてのり面１５に固定する。ただし、アンカーは、必ずしもＵ曲部を設ける必要はなく、直線状のアンカーで木製板材をのり面に固定することもできる。
【００３０】
【発明の効果】
本発明は、極めて簡単な構造でのり面に確実にしっかりと固定できる特長がある。それは、本発明が一対の木製板材をアンカーでのり面に固定すると共に、一方の木製板材の幅広端縁に設けている連結凸部を、他方の幅広端縁に設けている連結切欠部に入れて、２枚の木製板材を交差する状態で連結し、さらに、連結コーナーから外側に突出する突出部を両方の木製板材に設けて、連結コーナーから外側にＶ字状に突出するふたつのＶ字突出部の内側にアンカーを配設し、アンカーをのり面に挿入固定して、一対の木製板材をのり面に固定しているからである。この構造でのり面に固定される２枚の木製板材は、アンカーでしっかりとずれないようにのり面に固定される。それは、アンカーを木製板材のＶ字突出部に入れて固定しているからである。Ｖ字突出部に配設しているアンカーは、左右にずれることがなく、またアンカーによって２枚の木製板材は位置ずれすることがなく、アンカーでしっかりと固定される。
【００３１】
また、本発明は、簡単かつ容易に、しかも能率よく一対の木製板材をのり面に固定して、施工作業を安全で能率よくできる特長がある。それは、連結凸部を連結切欠部に入れて一対の木製板材を連結し、連結してできるＶ字突出部にアンカーを配設してこれをのり面に固定してふたつの木製板材をのり面に固定できるからである。とくにこの構造は、ふたつの木製板材を連結してできるＶ字突出部にアンカーを打ち込んで固定できるので、極めて簡単に一対の木製板材を固定できる。
【００３２】
さらにまた、本発明は、製造コストと施工コストの両方を低減して、のり面を確実に緑化できる特長がある。それは、木製の板材を簡単な形状に切断して木製板材を製作でき、しかも１本のアンカーで両方の木製板材の連結部を確実にのり面に固定できるからでる。とくに、Ｖ字突出部のアンカーで一対の木製板材をのり面にしっかりと固定できるので、木等の植物が充分に生育するまで木製板材が培養土を保護して、植物を充分に繁殖できる。
【図面の簡単な説明】
【図１】従来の緑化工法に使用する土止具の使用状態を示す側面図
【図２】図１に示す土止具を構成する２枚のパネルの側面図
【図３】図２に示す２枚のパネルの連結状態を示す平面図
【図４】図３に示す２枚のパネルの連結コーナー部を連結する連結具の拡大斜視図
【図５】本発明の一実施例にかかるのり面緑化用の土止具の使用状態を示す断面図
【図６】図５に示す土止具の平面図
【図７】図５に示す土止具の斜視図
【図８】本発明の他の実施例にかかる土止具の斜視図
【図９】本発明の他の実施例にかかる土止具の斜視図
【図１０】本発明の他の実施例にかかる土止具の木製板材の製作工程を示す分解斜視図
【図１１】本発明の他の実施例にかかる土止具の木製板材の製作工程を示す分解断面図
【図１２】図１０で示す工程で製作された木製板材をアンカーでのり面に固定する状態を示す断面図
【符号の説明】
１…木製板材
２…アンカー
３…幅広端縁
４…連結凸部
５…連結切欠部
６…連結コーナー
７…突出部
８…Ｖ字突出部
９…リング
１０…板材                １０Ａ…凸条          １０Ｂ…縦溝
１１…連結ロッド
１２…Ｕ曲部
１５…のり面
１６…培養土
１７…植物
１８…ポット
２０…パネル
２１…幅広端縁
２２…係合突起
２３…係合孔
２４…アンカー孔
２５…Ｌ字アンカー
２６…アンカー
２７…連結コーナー部
２８…連結具
２９…突起
【図１】
2004238948.tif 000003
【図２】
2004238948.tif 000004
【図３】
2004238948.tif 000005
【図４】
2004238948.tif 000006
【図５】
2004238948.tif 000007
【図６】
2004238948.tif 000008
【図７】
2004238948.tif 000009
【図８】
2004238948.tif 000010
【図９】
2004238948.tif 000011
【図１０】
2004238948.tif 000012
【図１１】
2004238948.tif 000013
【図１２】
2004238948.tif 000014